(57)【要約】      （修正有）【課題】効率よく消火が行えるようにする。【解決手段】消火剤を放射する放射口７を防護対象物１に備え、該防護対象物１における火源を、前記放射口７から放射された前記消火剤によって消火する消火設備であって、前記放射口７の先端に設けられ、前記放射口７から放射された前記消火剤が充填される消火剤充填袋２０を備え、火災時に前記消火剤充填袋に充填された消火剤が、火源を覆うことを特徴とする。【選択図】図１
2011078484.tif 000002
【特許請求の範囲】
【請求項１】
消火剤を放射する放射口を防護対象物に備え、該防護対象物における火源を、前記放射口から放射された前記消火剤によって消火する消火設備であって、
前記放射口の先端に設けられ、前記放射口から放射された前記消火剤が充填される消火剤充填袋を備え、火災時に前記消火剤が充填された前記消火剤充填袋で、火源を覆うことを特徴とする消火設備。
【請求項２】
前記消火剤充填袋は、平常時には、前記放射口の近傍に、充填袋保持手段によって折りたたまれた状態で収納され、火災時には前記充填袋保持手段が解除され、前記防護対象物の床面まで前記充填袋が降下することを特徴とする請求項１記載の消火設備。
【請求項３】
前記充填袋は、火災の熱によって一部溶解することを特徴とする請求項１、又は、２記載の消火設備。
【請求項４】
前記充填袋は、前記放射口の近傍に、前記充填袋内の圧力を一定にする圧力抜き穴を有することを特徴とする請求項１、２、又は、３記載の消火設備。
【請求項５】
前記消火剤は、空気よりも比重が重い不活性ガスであることを特徴とする請求項１、２、３、又は、４記載の消火設備。
【発明の詳細な説明】
【技術分野】
【０００１】
この発明は、工場、各種危険物施設、倉庫、駐車場、船倉等に用いられる、消火設備に関するものである。
【背景技術】
【０００２】
従来のガス消火設備では、火災が起きると、その火災が起きた防護領域全域に不活性ガスを放射して充満させ、酸素の濃度を下げることで窒息消火を行っている。このガス消火設備では、不活性ガスが放射される防護領域の開口を無くして気密性を高めるとともに、該防護領域内の圧力上昇を防止するために適当な排気処置がとられている。
(例えば、特許文献１．参照)。
【先行技術文献】
【特許文献】
【０００３】
【特許文献１】特開平８−１４１１０２号公報
【発明の概要】
【発明が解決しようとする課題】
【０００４】
従来例では、不活性ガスを火災の発生した防護領域全体に充満させるので、多量の不活性ガスが必要となり、効率よく消火が行えない、という問題がある。
【０００５】
この発明は、上記事情に鑑み、効率よく消火が行えるようにすることを目的とする。
【課題を解決するための手段】
【０００６】
この発明は、消火剤を放射する放射口を防護対象物に備え、該防護対象物における火源を、前記放射口から放射された前記消火剤によって消火する消火設備であって、前記放射口の先端に設けられ、前記放射口から放射された前記消火剤が充填される消火剤充填袋を備え、火災時に消火剤が充填された前記消火剤充填袋で火源を覆うことを特徴とする。
【０００７】
この発明の前記消火剤充填袋は、平常時には、前記放射口の近傍に、充填袋保持手段によって折りたたまれた状態で収納され、火災時には前記充填袋保持手段が解除され、前記防護対象物の床面まで前記充填袋が降下することを特徴とする。この発明の前記充填袋は、火災の熱によって一部溶解することを特徴とする。
【０００８】
この発明の前記充填袋は、前記放射口の近傍に、前記充填袋内の圧力を一定にする圧力抜き穴を有することを特徴とする。この発明の前記消火剤は、空気よりも比重が重い不活性ガスであることを特徴とする。
【発明の効果】
【０００９】
この発明は、前記放射口の先端に設けられ、前記放射口から放射された前記消火剤が充填される消火剤充填袋を備え、火災時に前記消火剤充填袋に充填された消火剤が、火源を覆うので、火源の周囲にだけ消火剤を留めることができ、少ない量の消火剤で効率よく消火をすることができる。
【００１０】
この発明の前記消火剤充填袋は、平常時には、前記放射口の近傍に、充填袋保持手段によって折りたたまれた状態で収納されているので、通行や作業の妨げとなることは無い。又、この発明の前記充填袋は、火災の熱によって一部溶解するので、防護領域の床面に障害物があっても、前記充填袋に穴が開き、火源は直接消火剤によって覆われ消火剤が火源と隙間なく接するので、確実に消火が行える。
【００１１】
この発明の前記充填袋は、前記放射口の近傍に、前記充填袋内の圧力を一定にする圧力抜き穴を有するので、前記充填袋内に消火剤が一杯になっても、前記圧力抜き穴から空気や消火剤が抜けていくので、充填袋が破裂することが無く、消火剤を局所に留めておくことができ、効率よく消火が行える。
【００１２】
この発明の前記消火剤は、空気よりも比重が重い不活性ガスであるので、充填袋内の下方に消火剤が溜まり、上方に向かって積み上げられていく。そのため、火源に近い所に消火剤が停滞するので、効率よく消火が行える。
【図面の簡単な説明】
【００１３】
【図１】本発明の第１実施形態を示す正面図である。
【図２】図１の要部拡大図である。
【発明を実施するための形態】
【００１４】
この発明の第１実施形態を図１、図２により説明する。
防護対象物１、例えば、倉庫、の天井２附近には、消火剤、例えば、空気よりも比重の重い不活性ガス、を供給する消火配管３が配置され、該消火配管３には、弁開放手段、例えば、感熱開放弁５を介して消火剤用の放射口７が連結されている。一般に、感熱開放弁５とは、感熱素子が火災の熱を感じて分解又は破裂すると、消火用水を封止していた弁体が消火用水の水圧によって移動し、放水を開始することができるものである。この放射口７は、感熱開放弁５より下流側の消火配管３ａに設けられている。前記感熱開放弁５は、グラスバルブを備えた感熱開放継手であるが、感熱素子として可溶合金(ヒューズ)を用いた感熱開放弁を用いることもできる。
【００１５】
前記放射口７は、防護領域（消火領域）９の天井２付近に格子状に均等に配置され、前記感熱開放弁５は、前記各放射口７に対応してそれぞれ設けられている。この放射口７は、必ずしも均等に配設する必要はなく、例えば、工場の工作機械など、火災が発生する可能性が高い所の真上に設けても良い。このようにすると、放射口７の設置個数を減らすことができる。
【００１６】
前記消火配管３ａの放射口７は、充填袋保持手段である箱状固定具１１内に突出した状態で、前記固定具１１の天面１１ａに固定され、その先端には、ノズル７ａが設けられている。前記箱状固定具１１は、その底面及び天井２の開口部を覆うように配設され、固定金具１３により該天井２に固定されている。
【００１７】
この箱状固定具１１の下端には、磁性体のカバー１５が設けられている。このカバー１５は、前記天井２の開口部を覆う大きさに形成され、その一端は、蝶番１６により箱状固定具１１に連結され、他端は、前記箱状固定具１１に突設された磁石１８に吸着固定されている。この磁石１８の吸着力は、必要に応じて適宜調整され、例えば、放射口７から不活性ガスが放射されて、該充填袋２０内に前記不活性ガスが充満した時に、膨らむ力によって外れる程度の力が好適である。
【００１８】
放射口７の先端部には、消火剤充填袋２０の口部が固定されているが、前記固定を行う場合には、放射口７から放射される消火剤が漏れない程度の機密性が確保されていれば良く、例えば、放射口７のノズル取付部にゴムバンド２１により締め付け固定する。
【００１９】
前記充填袋２０の外周面２０ａは、不燃性の素材により形成され、その底面２０ｂは、難燃性の素材、例えば、火源の熱により溶解する素材、により形成され、該充填袋２０の口部近傍、即ち、放射口７近傍には、圧力抜き穴２３が設けられている。
【００２０】
このような難燃性の素材で底面２０ｂを形成すると、火災時に、前記底面２０ｂが溶融して穴が空いたり、又は、底面２０ｂが無くなるので、火源が充填袋２０によって直接覆われ、該充填袋２０によって生じる火源と消火剤との隙間は発生しない。そのため、火源と不活性ガスが直接接することにより、酸素の供給を断つことができるので、効率よく窒息消火が行える。
又、圧力抜き穴２３を設けることにより、火災時に消火剤が放射され続けても、充填袋２０内の圧力を一定にできるので、該充填袋２０が消火剤によって割れることはない。
【００２１】
なお、充填袋２０が側壁面、即ち、天井２に対して直交状態の壁面、に配設されている場合には、該充填袋２０の外周面２０ａを前記難燃性の素材で形成し、その底面２０ｂを前記不燃性の素材により形成し、前記外周面２０ａが火源に接触して溶解するようにしても良い。
【００２２】
前記充填袋２０は、底面が床面まで降下できる長さを有する。また、防護領域９内における、火災が発生しやすい防護範囲Ｌ、例えば、工作機械２５などが配設されている場所よりも大きい範囲をカバーする大きさに形成されている。このような大きさを選択することにより、防護領域９の床面９ａに工作機械２５などの障害物がある場合でも、該充填袋２０が防護領域９の床面９ａに接地できるので、より確実に火源を覆うことができる。
【００２３】
充填袋２０は、平常時、即ち、火災監視時は、天井２付近に放射口７を覆うように小さく折り畳んで箱状固定具１１内に収納されているが、前記箱状固定具１１の底面は、カバー１５により閉鎖されているので、前記充填袋２０は、ほこりの影響を受けにくい。また、前記カバー１５により天井２の開口部を隠すことができるので、美観上好ましい。
【００２４】
前述のように、充填袋２０は、箱状固定具１１内に折り畳んだ状態で収納し、該固定具１１の下面をカバー１５で塞いだものがひと纏まり（ユニット）になっている。このため、この纏まり（ユニット）毎に交換可能となるので、充填袋２０の交換が容易になる。
【００２５】
なお、図１において、２６は受信機、２７は圧力スイッチ、２９は電磁バルブ３０を開閉するモータ、３１はレギュレーター、３２は不活性ガスＧ、例えば、窒素ガス、を貯留しているガスボンベ、をそれぞれ示す。
【００２６】
次に、本実施形態の作動について説明する。
消火配管３内には、常時、所定圧（監視圧）の消火剤が充填され、圧力監視が行われている。前記消火剤として、例えば、窒素ガスや空気より比重の重いアルゴンガスなどの不活性ガスＧが用いられている。
【００２７】
工作機械２５から火災が発生し、火災熱により感熱開放弁５Ａが動作すると、消火配管３内の不活性ガスは、消火配管３ａを通って放射口７Ａのノズル７ａから下方に向かって噴射される。そうすると、前記消火配管３内の監視圧が低下するので、圧力スイッチ２７が作動し、受信機２６に減圧信号を送出する。
【００２８】
前記受信機２６は、モータ２９に開弁信号を送り電磁バルブ３０を開弁させる。この電磁バルブ３０の開弁によりガスボンベ３２内の不活性ガスＧは、消火配管３に流れ、放射口７Ａの消火配管３ａに流れ込むので、前記放射口７Ａのノズル７ａから不活性ガスＧが放射される。
【００２９】
前記ノズル７ａから不活性ガスＧが放射されると、充填袋２０が膨らみながら下方に伸びる。そのため、カバー１５は、該充填袋２０により下方に押されるので、該カバー１５の他端は、前記磁石１８から離されるとともに、蝶番１６を中心にして下方に回転する。そのため、箱状固定具１１の底面は、開放されると共に、前記充填袋２０は、不活性ガスＧが充填されながら落下する。
【００３０】
この時、前記充填袋２０の真下には、火源となった工作機械２５が存在しているので、前記充填袋２０の底面２０ｂは前記工作機械２５により防護領域９の床面９ａに到達することができない。
【００３１】
ところが、前記充填袋２０の底面２０ｂは、難燃性の素材で形成されているが、火源に接触すると溶融し、底面２０ｂに穴が空いたり、或いは、該底面２０ｂが無くなる。そのため、工作機械２５は、充填袋２０で覆われた状態となって、不活性ガスＧが、該火源に直接接触しながら覆い被さる。又、前記充填袋２０は、防護範囲Ｌよりも大きく形成されているので、前記工作機械２５を覆いながら床面９ａに当接する。そのため、防護領域９内に独立した密閉状態のガス消火域が形成されるので、不活性ガスＧが少なくてすみ、効率良く窒息消火を行うことができる。又、不活性ガスＧは、空気より比重が重いガスを利用した場合、充填袋２０の下方にガスが溜まる。そのため、燃焼に必要な酸素を、充填袋２０の上方に移動させ、酸素の供給を遮断できるので、効率良く窒素消火を行うことができる。
【００３２】
なお、前記充填袋２０には、圧力抜き穴２３が設けられているため、火災時に消火剤が放射され続けても、該充填袋２０内の圧力を一定にできるので、該充填袋２０が消火剤によって破裂することはない。
【００３３】
この発明の実施形態は、上記に限定されるものではなく、例えば、次の様にしても良い。（１）前記消火剤は必ずしも空気より比重が重い不活性ガスだけである必要はなく、例えば、空気比重より軽い窒素ガスを、空気より比重が重いアルゴンガスや二酸化炭素ガスと混合した混合ガスを用いても良い。
（２）又、必ずしもガスのみを利用する必要はなく、例えば、窒素ガスをミスト状の水等と一緒に二流体ノズルから前記充填袋内に放射する様にしてもよい。
（３）更に、前記充填袋内に不活性ガスを充填する代わりに、泡消火剤を充填しても良い。この泡消火剤を用いる場合には、泡水溶液(水と泡原液とを混合した消火剤)を放射ノズルから発泡網に向かって放射して、発泡させるが、この泡消火設備は、周知の技術なので、詳細な説明は省略する。なお、泡消火設備を用いる場合には、不活性ガスＧを充填する場合と同様の充填袋を利用しても良いが、この場合、圧力抜き穴より大きい開口部を設けるとよい。その他にも、泡が流出しない程度の網目を有する網を用いて、消火剤充填袋を形成することができる。
（４）前述した通り、一般にガス消火設備は防護領域全体に不活性ガスを放射して充填させ、酸素濃度を消火可能な濃度まで低下させる必要がある。しかし、本発明では、防護領域の一部を充填袋によって区切ることが出来るので、予め消火可能な酸素濃度に混合した不活性ガスを放出しても良い。これにより、充填袋の周囲に人がいても、必要以上に酸素濃度が低下する恐れがないので、安全である。
【符号の説明】
【００３４】
１    防護対象物
２    天井
３    消火配管
７    放射口
９    防護領域
１１  箱状固定具
２０  充填袋
２３  圧力抜き穴
Ｌ    防護範囲
【図１】
2011078484.tif 000003
【図２】
2011078484.tif 000004